(57)【特許請求の範囲】
【請求項１】
放射線を検出して画像データを出力する光電変換手段と、
複数の撮影モードのうち、所定の撮影モードで撮影された画像データにより、前記撮影モードに対応するオフセット補正データを取得する補正データ取得手段と、
前記オフセット補正データを記憶する記憶手段と、
前記撮影モードで撮影された複数の画像データを用いて、前記記憶手段に記憶されたオフセット補正データを更新する補正データ更新手段と、を備え、
前記撮影モードは、前記光電変換手段において前記画像データの出力に用いられるアンプのゲインを含み、
前記補正データ更新手段は、前記複数の画像データの数を前記ゲインに応じて調整することを特徴とする放射線撮影装置。
【請求項２】
前記補正データ取得手段は、
第１の数の第１の画像データを第１の撮影モードで取得する第１の補正データ取得手段と、
前記第１の数と異なる第２の数の第２の画像データを第２の撮影モードで取得する第２の補正データ取得手段とを備え、
前記補正データ更新手段は、
前記第１の数の前記第１の画像データの平均を用いて、前記第１の撮影モードに対応する第１のオフセット補正データを更新する第１の補正データ更新手段と、
前記第２の数の前記第２の画像データの平均を用いて、前記第２の撮影モードに対応する第２のオフセット補正データを更新する第２の補正データ更新手段と、を備えることを特徴とする請求項１に記載の放射線撮影装置。
【請求項３】
前記補正データ取得手段は、
第１の数の第１の画像データを前記第１の撮影モードで取得する第１の補正データ取得手段と、
前記第１の数と異なる第２の数の第２の画像データを前記第２の撮影モードで取得する第２の補正データ取得手段とを備え、
前記補正データ更新手段は、
最新の前記第１の画像データと、前記第１の撮影モードに対応する第１のオフセット補正データとを加重平均した加重平均データを用いて、前記第１のオフセット補正データを前記第１の数の回数更新する第１の補正データ更新手段と、
最新の前記第２の画像データと、前記第２の撮影モードに対応する第２のオフセット補正データとを加重平均した加重平均データを用いて、前記第２のオフセット補正データを前記第２の数の回数更新する第２の補正データ更新手段と、を備えることを特徴とする請求項１に記載の放射線撮影装置。
【請求項４】
前記第１の補正データ更新手段は、以下の式により前記第１のオフセット補正データを算出することを特徴とする請求項３に記載の放射線撮影装置。
Ｗｎ＝Ｗｍ・（ｋ−１）／ｋ＋Ｉｎ／ｋ
ｎ：更新回数（１以上の整数），Ｗｎ：ｎ回目の更新における第１のオフセット補正データの値，Ｗｍ：“ｍ＝ｎ−１”回目の更新における第１のオフセット補正データの値（ｍは０以上の整数），Ｗｍ＝０：第１のオフセット補正データの初期値，ｋ：２以上の整数，Ｉｎ：ｎ回目の更新における最新の第１の画像データの値
【請求項５】
前記第１の補正データ取得手段は、前記放射線撮影装置が前記第１の撮影モードで被写体の放射線画像を撮影した後に、前記第１の数の前記第１の画像データを取得することを特徴とする請求項２乃至４の何れか１項に記載の放射線撮影装置。
【請求項６】
前記補正データ取得手段は、前記放射線撮影装置の電源投入後に、前記撮影モードに対応するオフセット補正データを取得することを特徴とする請求項１に記載の放射線撮影装置。
【請求項７】
前記補正データ更新手段は、前記ゲインが所定の閾値未満の前記撮影モードでは、前記ゲインが前記所定の閾値以上の前記撮影モードと比べ、前記画像データの数を少なく設定することを特徴とする請求項１に記載の放射線撮影装置。
【請求項８】
複数の撮影モードのうち、所定の撮影モードで撮影された画像データにより、前記撮影モードに対応するオフセット補正データを取得する取得工程と、
前記オフセット補正データを記憶手段に記憶する記憶工程と、
前記撮影モードで撮影された複数の画像データを用いて、前記記憶手段に記憶されたオフセット補正データを更新する更新工程と、を備え、
前記撮影モードは、前記画像データの出力に用いられるアンプのゲインを含み、
前記複数の画像データの数を前記ゲインに応じて調整することを特徴とする放射線撮影方法。
【請求項９】
コンピュータを請求項１乃至７の何れか１項に記載の放射線撮影装置の各手段として機能させるプログラム。
【発明の詳細な説明】
【技術分野】
【０００１】
本発明は、被写体を透過して検出された放射線検出信号に基づいて放射線画像を取得する放射線撮影装置に関し、特に、オフセット補正データを取得する放射線撮影装置に関する。
【背景技術】
【０００２】
Ｘ線などの放射線を用いて撮影された放射線画像が、病気診断などに広く用いられている。近年において、フラットパネル型の放射線画像検出器（ＦＰＤ）が放射線画像の撮影に用いられている。
【０００３】
放射線画像検出器は、任意の蓄積時間で照射された放射線を電荷量に変換し、キャパシタに電荷を蓄積する。放射線の照射とは無関係な電荷が撮影時に放射線画像検出器中に存在した場合、その電荷がノイズとして放射線画像に重畳され、放射線画像の画質を低下させる原因となる。例えば、主に温度の影響で生成される電荷による暗電流成分が、放射線画像検出器においてノイズの原因となる。
【０００４】
また、放射線画像の撮影時には、電荷を蓄積するための蓄積時間に比例して暗電流成分の電荷が増加し、放射線画像の画質を低下させる。そのため、放射線画像検出器は、放射線の非照射時間に撮影された画像（オフセット画像）をオフセット補正データとして生成し、オフセット補正データを用いて放射線画像のオフセット補正を行う。
【０００５】
複数の撮影モードが放射線画像検出器に存在する場合、放射線画像検出器は、各撮影モードに対応するオフセット補正データを放射線画像の撮影前に取得する。
【先行技術文献】
【特許文献】
【０００６】
【特許文献１】特開２００３−１９０１２６号公報
【発明の概要】
【発明が解決しようとする課題】
【０００７】
しかしながら、放射線画像検出器の撮影前にオフセット補正データが予め取得される場合、撮影モードの数に応じて、オフセット補正データの取得に要する時間が膨大になり、放射線画像検出器の起動から撮影までの待機時間が長くなる。また、温度などの影響によるノイズが時間とともに増加することから、オフセット補正データの更新が必要となるので、撮影モードの数に応じて、オフセット補正データの更新に要する時間が膨大になり、放射線画像の撮影から次の撮影までの待機時間が長くなる。
【０００８】
本発明は、上記課題に鑑みてなされたものであり、放射線画像の高画質化を図るとともに、放射線撮影装置の待機時間を短縮することを目的とする。
【課題を解決するための手段】
【０００９】
本発明の放射線撮影装置は、
放射線を検出して画像データを出力する光電変換手段と、
複数の撮影モードのうち、所定の撮影モードで撮影された画像データにより、前記撮影モードに対応するオフセット補正データを取得する補正データ取得手段と、
前記オフセット補正データを記憶する記憶手段と、
前記撮影モードで撮影された複数の画像データを用いて、前記記憶手段に記憶されたオフセット補正データを更新する補正データ更新手段と、を備え、
前記撮影モードは、前記光電変換手段において前記画像データの出力に用いられるアンプのゲインを含み、
前記補正データ更新手段は、前記複数の画像データの数を前記ゲインに応じて調整する。
【発明の効果】
【００１０】
本発明によれば、オフセット補正データの更新に用いられる画像データの数を画像データの出力に用いられるアンプのゲインに応じて調整することで、放射線画像の高画質化を図るとともに、放射線画像検出器の待機時間を短縮することができる。
【図面の簡単な説明】
【００１１】
【図１】第１の実施形態に係る放射線撮影装置の概略構成の一例を示す模式図である。
【図２】第１の実施形態に係る放射線撮影装置のオフセット補正を説明する図である。
【図３】第１の実施形態に係る放射線撮影装置のオフセット補正データの更新を説明する図である。
【図４】第１の実施形態に係る放射線撮影装置の動作の一例を示すフローチャートである。
【図５】第２の実施形態に係る放射線撮影装置のオフセット補正データの更新を説明する図である。
【発明を実施するための形態】
【００１２】
（第１の実施形態）
以下、図面を参照して、本発明の第１の実施形態の一例を詳しく説明する。図１は、本実施形態に係る放射線撮影装置の概略構成の一例を示す模式図である。図１に示すように、放射線撮影装置は放射線画像検出器１０１を備える。また、放射線撮影装置は放射線発生装置２０１を更に備えてもよい。
【００１３】
放射線画像検出器１０１は、放射線画像をデジタルデータに変換する。放射線発生装置２０１は、放射線を被写体（被検体）に照射する。
【００１４】
放射線画像検出器１０１は、光電変換部１０２、制御部１０３、記憶部１０４、補正データ更新部１０５、及び処理部１０６を備える。光電変換部１０２は、２次元状に複数の受光素子が配設されて構成されており、アモルファスシリコンを主材料として形成されている。光電変換部１０２は、可視光に変換された放射線を受光素子で受光し、放射線画像信号として検出する。
【００１５】
制御部１０３は、放射線画像撮影装置の制御を行う。例えば、制御部１０３は、光電変換部１０２のＯＮ/ＯＦＦ制御や電源供給制御などを行う。また、制御部１０３は、光電変換部１０２から被写体の放射線画像データを取得する。
【００１６】
また、制御部１０３は補正データ取得部１３０を備え、補正データ取得部１３０は、放射線の非照射時間に所定の撮影モードで撮影された画像データにより、撮影モードに対応するオフセット補正データを取得する。オフセット補正データは、オフセット補正の対象となる放射線画像データと同じ撮影モードにより、放射線を照射しない状態で撮影された画像データである。例えば、放射線画像検出器１０１が所定の撮影モードにより被写体を撮影する場合、この撮影モードにより放射線を照射しない状態で撮影された画像データがオフセット補正データとなる。オフセット補正データは記憶部１０４に保存される。
【００１７】
また、制御部１０３（補正データ取得部１３０）は、第１の補正データ取得部１１３及び第２の補正データ取得部１２３を備える。
【００１８】
第１の補正データ取得部１１３は、第１の撮影モードで撮影された画像データにより第１のオフセット補正データを取得する。また、第１の補正データ取得部１１３は、所定の数（第１の数）の画像データ（第１の画像データ）を第１の撮影モードで取得する。
【００１９】
第２の補正データ取得部１２３は、第２の撮影モードで撮影された画像データにより第２のオフセット補正データを取得する。また、第２の補正データ取得部１２３は、所定の数（第１の数と異なる第２の数）の画像データ（第２の画像データ）を第２の撮影モードで取得する。
【００２０】
記憶部１０４は、放射線画像データ、オフセット補正データ、ゲイン補正データ、及び欠陥補正データなどのデータを記憶する。ゲイン補正データは、ゲイン補正の対象となる放射線画像データと同じ撮影モードにより、被写体がない状態で放射線を照射して撮影した画像データである。例えば、放射線画像検出器１０１が所定の撮影モードにより被写体を撮影する場合、この撮影モードにより被写体がない状態で放射線を照射して撮影した画像データがゲイン補正データとなる。欠陥補正データは、光電変換部１０２において放射線の検出ができない受光素子（欠陥素子）の位置情報などの欠陥情報である。
【００２１】
補正データ更新部１０５は、所定の数の画像データを用いて、撮影モードに対応するオフセット補正データ（第１のオフセット補正データ及び第２のオフセット補正データ）を更新する。この場合、補正データ更新部１０５は、オフセット補正データの更新に用いられる画像データの数を撮影モードに応じて調整する。
【００２２】
また、補正データ更新部１０５は、第１の補正データ更新部１１５及び第２の補正データ更新部１２５を備える。
【００２３】
第１の補正データ更新部１１５は、所定の数（第１の数）の画像データ（第１の画像データ）の平均を用いて、第１の撮影モードに対応する第１のオフセット補正データを更新する。また、第１の補正データ更新部１１５は、画像データの平均でオフセット補正データを更新する代わりに、画像データ（第１の画像データ）を用いて、第１の撮影モードに対応する第１のオフセット補正データを所定の数（第１の数）の回数更新してもよい。
【００２４】
第２の補正データ更新部１２５は、所定の数（第２の数）の画像データ（第２の画像データ）の平均を用いて、第２の撮影モードに対応する第２のオフセット補正データを更新する。また、第２の補正データ更新部１２５は、画像データの平均でオフセット補正データを更新する代わりに、画像データ（第２の画像データ）を用いて、第２の撮影モードに対応する第２のオフセット補正データを所定の数（第２の数）の回数更新してもよい。
【００２５】
処理部１０６は、オフセット補正処理された放射線画像データなどを出力する。
【００２６】
次に、図２を参照して、放射線撮影装置の撮影時におけるオフセット補正について説明する。図２（ａ）は、オフセット補正における放射線撮影装置の概略構成の一例を示す模式図である。図２（ｂ）は、オフセット補正の対象となる放射線画像データの一例を示す図である。図２（ｃ）は、オフセット補正に用いられるオフセット補正データの一例を示す図である。
【００２７】
被写体の放射線画像の撮影時に、光電変換部１０２は、可視光に変換された放射線画像信号（放射線画像データ）を検出する。制御部１０３は、光電変換部１０２から被写体の放射線画像データを取得する。減算器１１０は、放射線画像データからオフセット補正データを減算し、処理部１０６に出力する。また、複数の撮影モードで放射線画像が撮影される場合、減算器１１０は、各撮影モードで撮影された放射線画像データから、各撮影モードに対応するオフセット補正データを減算し、処理部１０６に出力する。処理部１０６は、オフセット補正処理された放射線画像データを出力する。
【００２８】
この場合、放射線画像検出器１０１は、蓄積時間、アンプの増幅率、及び画素のビニングなどが異なる複数の撮影モードごとに、オフセット補正データを被写体の撮影前に取得する。第１の補正データ取得部１１３は、第１の撮影モードで撮影された画像データにより第１のオフセット補正データを取得する。第２の補正データ取得部１２３は、第２の撮影モードで撮影された画像データにより第２のオフセット補正データを取得する。各撮影モードに対応するオフセット補正データは、記憶部１０４に保存される。
【００２９】
ＭＯＤＥ１〜ＭＯＤＥ４の各撮影モードで放射線画像が撮影される場合、第１の補正データ取得部１１３は、ＭＯＤＥ１（第１の撮影モード）で撮影された画像データによりオフセット補正データＷ１（第１のオフセット補正データ）を取得する。また、第２の補正データ取得部１２３は、ＭＯＤＥ２（第２の撮影モード）で撮影された画像データによりオフセット補正データＷ２（第２のオフセット補正データ）を取得する。
【００３０】
なお、第１の補正データ更新部１１５は、ＭＯＤＥ１で撮影された複数（第１の数）の画像データを平均した平均データを、オフセット補正データＷ１の初期値に設定してもよい。また、第２の補正データ更新部１２５は、ＭＯＤＥ２（第２の撮影モード）で撮影された複数（第２の数）の画像データを平均した平均データを、オフセット補正データＷ２の初期値に設定してもよい。
【００３１】
ＭＯＤＥ１及びＭＯＤＥ２のオフセット補正データの更新が完了した場合は、上記と同様に、第１の補正データ取得部１１３又は第２の補正データ取得部１２３は、ＭＯＤＥ３で撮影された画像データによるオフセット補正データＷ３を取得する。また、第１の補正データ取得部１１３又は第２の補正データ取得部１２３は、ＭＯＤＥ４で撮影された画像データによるオフセット補正データＷ４を取得する。
【００３２】
減算器１１０は、ＭＯＤＥ１〜ＭＯＤＥ４で撮影された放射線画像Ｘ１〜Ｘ４から、ＭＯＤＥ１〜ＭＯＤＥ４に対応するオフセット補正データＷ１〜Ｗ４をそれぞれ減算し、処理部１０６に出力する。処理部１０６は、オフセット補正処理された放射線画像Ｘ１−Ｗ１，Ｘ２−Ｗ２，Ｘ３−Ｗ３，Ｘ４−Ｗ４を出力する。
【００３３】
次に、図３を参照して、オフセット補正データの更新について説明する。図３（ａ）は、オフセット補正データの更新における放射線撮影装置の概略構成の一例を示す模式図である。図３（ｂ）は、オフセット補正データの更新に用いられる最新の画像データの一例を示す図である。図３（ｃ）は、更新前のオフセット補正データの一例を示す図である。
【００３４】
被写体の放射線画像の撮影時以外の時間に、光電変換部１０２は、放射線を照射しない状態で撮影された画像信号（画像データ）を検出する。制御部１０３（補正データ取得部１３０）は、放射線の非照射時間に撮影された画像データを取得する。
【００３５】
補正データ更新部１０５は、新しく生成された画像データ（最新の画像データ）を制御部１０３（補正データ取得部１３０）から入力し、最新の画像データを用いて、記憶部１０４に保存されているオフセット補正データを更新する。オフセット補正データを更新することにより、最新のオフセット補正データを用いて放射線画像のオフセット補正を行うことで、経時的に増加するノイズを抑制し、放射線画像の画質を向上させることができる。
【００３６】
また、複数の撮影モードで放射線画像が撮影される場合、補正データ更新部１０５は、各撮影モードに対応するオフセット補正データをそれぞれ更新する。更新されたオフセット補正データは、記憶部１０４に保存される。
【００３７】
また、補正データ更新部１０５は、オフセット補正データの更新に用いられる画像データの数を、オフセット補正データのノイズ要因に基づいて調整する。例えば、補正データ更新部１０５は、オフセット補正データの更新に用いられる画像データの数を、撮影モードの蓄積時間、アンプの増幅率、及び画素のビニングの少なくとも１つに基づいて調整する。
【００３８】
ゲインが低い撮影モードでは、ノイズの影響が少ないため、ゲインが高い撮影モードに比べ、画像データの数は少なく設定される。本実施形態では、ゲインが所定の閾値より低い撮影モード（ＭＯＤＥ１）では画像データの数（第１の数）が５に設定され、ゲインが所定の閾値より高い撮影モード（ＭＯＤＥ２）では画像データの数（第２の数）が２０に設定される。このように、第１の補正データ更新部１１５は、ゲインが所定の閾値未満の撮影モードでは、ゲインが所定の閾値以上の撮影モードと比べ、画像データの数を少なく設定する。
【００３９】
また、フレームレートが低い撮影モードでは、ノイズの影響が少ないため、フレームレートが高い撮影モードに比べ、画像データの数は少なく設定される。本実施形態では、フレームレートが所定の閾値より低い撮影モード（ＭＯＤＥ１）では画像データの数（第１の数）が５に設定され、フレームレートが所定の閾値より高い撮影モード（ＭＯＤＥ２）では画像データの数（第２の数）が２０に設定される。このように、第１の補正データ更新部１１５は、フレームレートが所定の閾値未満の撮影モードでは、フレームレートが所定の閾値以上の撮影モードと比べ、画像データの数を少なく設定する。
【００４０】
ＭＯＤＥ１〜ＭＯＤＥ４の撮影モードで放射線画像が撮影される場合、第１の補正データ更新部１１５は、５枚（第１の数）の画像データ（第１の画像データ）の平均を用いて、ＭＯＤＥ１に対応するオフセット補正データＷ１を更新する。第２の補正データ更新部１２５は、２０枚（第２の数）の画像データ（第２の画像データ）の平均を用いて、ＭＯＤＥ２に対応するオフセット補正データＷ２を更新する。つまり、第１の数の画像データを用いて、第１のオフセット補正データが更新され、第２の数の画像データを用いて、第２のオフセット補正データが更新される。
【００４１】
例えば、画像データの平均を用いてオフセット補正データＷ１を更新する場合、第１の補正データ取得部１１３は、放射線の非照射時間にＭＯＤＥ１で撮影された最新の画像データ（オフセット補正データ）Ｉ１を５枚（Ｉ１ｆ＝１，Ｉ１ｆ＝２，Ｉ１ｆ＝３，Ｉ１ｆ＝４，Ｉ１ｆ＝５）取得する。第１の補正データ更新部１１５は、最新の５枚の画像データＩ１の平均“（Ｉ１ｆ＝１＋Ｉ１ｆ＝２＋Ｉ１ｆ＝３＋Ｉ１ｆ＝４＋Ｉ１ｆ＝５）／５”を第１のオフセット補正データＷ１と入れ替えることでオフセット補正データを更新する。ここで、ｆは最新の画像データＩ１の取得番号である。
【００４２】
なお、画像データの平均をオフセット補正データと入れ替えることでオフセット補正データを更新する場合、１つの画像データをオフセット補正データと入れ替える場合と比べ、ノイズを効率的に軽減することができる。
【００４３】
また、第１の補正データ更新部１１５は、画像データの平均をオフセット補正データと入れ替える代わりに、１つの最新の画像データ（第１の画像データ）を用いて、ＭＯＤＥ１に対応するオフセット補正データＷ１を５回（第１の数の回数）更新してもよい。また、第２の補正データ更新部１２５は、１つの最新の画像データ（第２の画像データ）を用いて、ＭＯＤＥ２に対応するオフセット補正データＷ２を２０回（第２の数の回数）更新してもよい。
【００４４】
この場合も、第１の数の画像データを用いて、第１のオフセット補正データが更新され、第２の数の画像データを用いて、第２のオフセット補正データが更新される。
【００４５】
ここで、オフセット補正データＷ１〜Ｗ４のうち少なくとも１組のオフセット補正データの更新に用いられる画像データの数は異なる。例えば、オフセット補正データＷ１（第１のオフセット補正データ）の更新に用いられる画像データの数（第１の数）は、オフセット補正データＷ２（第２のオフセット補正データ）の更新に用いられる画像データの数（第２の数）と異なる。
【００４６】
また、オフセット補正データＷ１の更新に用いられる画像データの数（第１の数）は、オフセット補正データＷ１の初期値の算出に用いられる画像データの数（第１の数）と同じであればよい。また、オフセット補正データＷ２の更新に用いられる画像データの数（第２の数）は、オフセット補正データＷ２の初期値の算出に用いられる画像データの数（第２の数）と同じであればよい。
【００４７】
１つの最新の画像データを用いてオフセット補正データＷ１を５回（第１の数）更新する場合、第１の補正データ取得部１１３は、放射線の非照射時間にＭＯＤＥ１で撮影された最新の画像データ（オフセット補正データ）Ｉ１を取得する。第１の補正データ更新部１１５は、最新の画像データＩ１を用いて、オフセット補正データＷ１（第１のオフセット補正データ）を更新する。例えば、第１の補正データ更新部１１５は、最新の画像データＩ１とオフセット補正データＷ１とを加重平均した加重平均データでオフセット補正データＷ１を更新し、この更新を５回（第１の数）行う。
【００４８】
この場合、最新の画像データＩ１ｆ＝１とオフセット補正データＷ１ｎ＝０とを加重平均した加重平均データでオフセット補正データＷ１ｎ＝０をオフセット補正データＷ１ｎ＝１に更新し、最新の画像データＩ１ｆ＝２とオフセット補正データＷ１ｎ＝１とを加重平均した加重平均データでオフセット補正データＷ１ｎ＝１をオフセット補正データＷ１ｎ＝２に更新する。
【００４９】
そして、最新の画像データＩ１ｆ＝３とオフセット補正データＷ１ｎ＝２とを加重平均した加重平均データでオフセット補正データＷ１ｎ＝２をオフセット補正データＷ１ｎ＝３に更新し、最新の画像データＩ１ｆ＝４とオフセット補正データＷ１ｎ＝３とを加重平均した加重平均データでオフセット補正データＷ１ｎ＝３をオフセット補正データＷ１ｎ＝４に更新する。
【００５０】
更に、最新の画像データＩ１ｆ＝５とオフセット補正データＷ１ｎ＝４とを加重平均した加重平均データでオフセット補正データＷ１ｎ＝４をオフセット補正データＷ１ｎ＝５に更新して、５回の更新が終了する。ここで、ｆは最新の画像データＩ１の取得番号であり、ｎはオフセット補正データＷ１の更新回数である。
【００５１】
オフセット補正データＷ１が５回更新された後、上記と同様に、第２の補正データ更新部１２５は、最新の画像データを用いて、オフセット補正データＷ２を２０回（第２の数）更新する。また、オフセット補正データＷ２が２０回更新された後は、オフセット補正データＷ３が更新され、オフセット補正データＷ３が更新された後は、オフセット補正データＷ４が更新される。
【００５２】
そして、オフセット補正データＷ４が更新された後は、オフセット補正データＷ１が再度更新される。このように、第１の補正データ更新部１１５は、第２の補正データ更新部１２５がオフセット補正データＷ２（第２のオフセット補正データ）を更新した後に、第１の更新回数でオフセット補正データＷ１（第１のオフセット補正データ）を再度更新する。
【００５３】
次に、図４を参照して、放射線撮影装置の動作について説明する。放射線撮影装置に電源が投入されると、補正データ取得部１３０は、各撮影モードのオフセット補正データを取得する（ステップＳ１０１）。第１の補正データ取得部１１３は、ＭＯＤＥ１（第１の撮影モード）で撮影された画像データによりオフセット補正データＷ１を取得する。また、撮影モードを切り替えて、第２の補正データ取得部１２３は、ＭＯＤＥ２（第２の撮影モード）で撮影された画像データによりオフセット補正データＷ２を取得する。
【００５４】
第１の補正データ更新部１１５は、放射線撮影装置の電源投入後に取得された画像データ（オフセット補正データ）をオフセット補正データＷ１の初期値に設定する。オフセット補正データの初期値は、放射線の非照射時間にＭＯＤＥ１で撮影された１つの画像データであってもよいし、放射線の非照射時間にＭＯＤＥ１で撮影された複数の画像データを平均した平均データであってもよい。同様に、ＭＯＤＥ２〜４のオフセット補正データＷ２〜Ｗ４の初期値も設定される。
【００５５】
オフセット補正データが取得された後に、放射線撮影装置は、被写体（被検体）の放射線画像を撮影する（ステップＳ１０２）。被写体の放射線画像は、オフセット補正処理により補正され、処理部１０６から出力される。オフセット補正処理では、放射線画像データから各撮影モードに対応するオフセット補正データを減算する。撮影モードを切り替える場合は、撮影モードに応じてオフセット画像データも切り替わる。
【００５６】
放射線画像の撮影が行われない時間（放射線の非照射時間）に、補正データ更新部１０５は、所定の数の画像データを用いて、各撮影モードに対応するオフセット補正データを更新する（ステップＳ１０３）。画像データの数は、蓄積時間、アンプの増幅率、及び画素のビニングの少なくとも１つに基づいて調整される。
【００５７】
例えば、ゲインが低い撮影モードでは、ノイズの影響が少ないため、ゲインが高い撮影モードと比べ、更新に用いられる画像データの数は少なく設定される。本実施形態では、ゲインが所定の閾値より低い撮影モード（ＭＯＤＥ１）では画像データの数（第１の数）が５に設定され、ゲインが所定の閾値より高い撮影モード（ＭＯＤＥ２）では画像データの数（第２の数）が２０に設定される。
【００５８】
第１の補正データ更新部１１５は、第１の数（５枚）の画像データの平均を用いて、ＭＯＤＥ１（第１の撮影モード）に対応するオフセット補正データＷ１を更新する。また、第１の補正データ更新部１１５は、画像データを用いて、ＭＯＤＥ１（第１の撮影モード）に対応するオフセット補正データＷ１を、第１の数（５回）更新してもよい。
【００５９】
第２の補正データ更新部１２５は、第２の数（２０枚）の画像データの平均を用いて、ＭＯＤＥ２（第２の撮影モード）に対応するオフセット補正データＷ２を更新する。また、第２の補正データ更新部１２５は、画像データを用いて、ＭＯＤＥ２（第２の撮影モード）に対応するオフセット補正データＷ２を、第２の数（２０回）更新してもよい。
【００６０】
更新されたオフセット補正データは、撮影モードごとに記憶部１０４に保存される（ステップＳ１０４）。
【００６１】
ステップＳ１０５において、次の放射線画像の撮影要求が入力される場合、ステップＳ１０２に戻り、被写体の放射線画像は、オフセット補正処理により補正され、処理部１０６から出力される。オフセット補正処理では、更新されたオフセット補正データを用いて、放射線画像データから各撮影モードに対応するオフセット補正データを減算する。
【００６２】
ステップＳ１０２において、放射線撮影装置が所定の撮影モードで被写体の放射線画像を撮影した後、オフセット補正データを更新するために用いられる画像データの数（第１の数及び第２の数）はリセットされてもよい。この場合、第１の補正データ取得部１１３は、放射線撮影装置がＭＯＤＥ１（第１の撮影モード）で被写体の放射線画像を撮影した後に、第１の数の画像データ（第１の画像データ）を取得する。第１の補正データ更新部１１５は、第１の数の画像データを用いて、オフセット補正データＷ１を更新する。
【００６３】
また、第２の補正データ取得部１２３は、放射線撮影装置がＭＯＤＥ２（第２の撮影モード）で被写体の放射線画像を撮影した後に、第２の数の第２の画像データを取得する。第２の補正データ更新部１２５は、第２の数の画像データを用いて、オフセット補正データＷ２を更新する。
【００６４】
ステップＳ１０５において、次の放射線画像の撮影要求が入力されない場合、ステップＳ１０３に戻り、次の放射線画像の撮影要求が入力されるまで、各撮影モードに対応するオフセット補正データの更新を繰り返す。例えば、オフセット補正データＷ１〜Ｗ４が更新された後は、オフセット補正データＷ１が再度更新される。
【００６５】
本実施形態によれば、オフセット補正データの更新に用いられる画像データの数（第１の数及び第２の数）を撮影モードに応じて調整することで、各撮影モードに応じた適切な数の画像データを用いてオフセット補正データを更新することができる。この結果、放射線画像の高画質化を図るとともに、不要な数の画像データを取得する必要がなくなるため、放射線画像検出器の待機時間を短縮することができる。
【００６６】
（第２の実施形態）
次に、図面を参照して、本発明の第２の実施形態の一例を詳しく説明する。なお、上記の実施形態と同様の構成、機能、及び動作についての説明は省略し、主に本実施形態との差異について説明する。
【００６７】
図５（ａ）は、オフセット補正データの更新における放射線撮影装置の概略構成の一例を示す模式図である。図５（ｂ）は、オフセット補正データの更新に用いられる最新の画像データの一例を示す図である。図５（ｃ）は、更新前及び更新後のオフセット補正データの一例を示す図である。
【００６８】
第２の実施形態では、第１の補正データ更新部１１５は、画像データ（第１の画像データ）を用いて、第１の撮影モードに対応する第１のオフセット補正データを所定の更新回数（第１の数）更新する。また、第２の補正データ更新部１２５は、画像データ（第２の画像データ）を用いて、第２の撮影モードに対応する第２のオフセット補正データを所定の更新回数（第２の数）更新する。
【００６９】
この場合、オフセット補正データＷ１の更新に用いられる画像データの数（第１の数）は、オフセット補正データＷ１の初期値の算出に用いられる画像データの数（第１の数）と同じであればよい。また、オフセット補正データＷ２の更新に用いられる画像データの数（第２の数）は、オフセット補正データＷ２の初期値の算出に用いられる画像データの数（第２の数）と同じであればよい。
【００７０】
また、第１の補正データ更新部１１５は、最新の画像データＩ１ｎ（ｎ回目の更新における最新の第１の画像データの値）とオフセット補正データＷ１ｍ（“ｍ＝ｎ−１”回目の更新における第１のオフセット補正データの値）とを加重平均した加重平均データを用いて、第１のオフセット補正データＷ１ｎ（ｎ回目の更新における第１のオフセット補正データの値）を生成する。オフセット補正データＷ１ｍは、オフセット補正データＷ１ｎにより更新される。
【００７１】
また、第２の補正データ更新部１２５は、最新の画像データＩ２ｎ（ｎ回目の更新における最新の第２の画像データの値）とオフセット補正データＷ２ｍ（“ｍ＝ｎ−１”回目の更新における第２のオフセット補正データの値）とを加重平均した加重平均データを用いて、第２のオフセット補正データＷ２ｎ（ｎ回目の更新における第２のオフセット補正データの値）を生成する。オフセット補正データＷ２ｍは、オフセット補正データＷ２ｎにより更新される。
【００７２】
同様に、最新の画像データＩ３ｎとオフセット補正データＷ３ｍとを加重平均した加重平均データを用いて、オフセット補正データＷ３ｍは、オフセット補正データＷ３ｎにより更新される。また、最新の画像データＩ４ｎとオフセット補正データＷ４ｍとを加重平均した加重平均データを用いて、オフセット補正データＷ４ｍは、オフセット補正データＷ４ｎにより更新される。
【００７３】
加重平均の重み係数は任意であってもよいが、本実施の形態では、第１の補正データ更新部１１５は、以下の式（１）により、撮影モードに対応するオフセット補正データＷ１ｎを算出する。
【００７４】
Ｗｎ＝Ｗｍ・（ｋ−１）／ｋ＋Ｉｎ／ｋ          ・・・（１）
ｎ：更新回数（１以上の整数），Ｗｎ：ｎ回目の更新における第１のオフセット補正データの値，Ｗｍ：“ｍ＝ｎ−１”回目の更新における第１のオフセット補正データの値（ｍは０以上の整数），Ｗｍ＝０：第１のオフセット補正データの初期値，ｋ：２以上の整数（第１の数），Ｉｎ：ｎ回目の更新における最新の第１の画像データの値
【００７５】
同様に、第２の補正データ更新部１２５が、式（１）により、撮影モードに対応するオフセット補正データＷ２ｎを算出してもよい。この場合、ｋは第２の数になる。つまり、補正データ更新部１０５は、重み係数（ｋ−１）／ｋをオフセット補正データＷｍに乗算し、重み係数１／ｋを最新の画像データＩｎに乗算することで、撮影モードごとにオフセット補正データＷｎを生成する。そして、オフセット補正データＷｍは、オフセット補正データＷｎにより更新される。
【００７６】
１つの最新の画像データを用いてオフセット補正データＷ１を５回（第１の数）更新する場合、第１の補正データ取得部１１３は、放射線の非照射時間にＭＯＤＥ１で撮影された最新の画像データＩ１ｎ＝１を取得し、第１の補正データ更新部１１５に出力する。第１の補正データ更新部１１５は、最新の画像データＩ１ｎ＝１とオフセット補正データＷ１ｍ＝０とを加重平均した加重平均データで、オフセット補正データＷ１ｍ＝０をオフセット補正データＷ１ｎ＝１に更新する。第１の補正データ更新部１１５は、この更新を５回（第１の数）行い、オフセット補正データＷ１ｍ＝０からオフセット補正データＷ１ｎ＝５に更新する。
【００７７】
１つの最新の画像データを用いてオフセット補正データＷ２を２０回（第２の数）更新する場合、第２の補正データ取得部１２３は、放射線の非照射時間にＭＯＤＥ２で撮影された最新の画像データＩ２ｎ＝１を取得し、第２の補正データ更新部１２５に出力する。第２の補正データ更新部１２５は、最新の画像データＩ２とオフセット補正データＷ２ｍ＝０とを加重平均した加重平均データでオフセット補正データＷ２ｍ＝０をオフセット補正データＷ２ｎ＝１に更新する。第２の補正データ更新部１２５は、この更新を２０回（第２の数）行い、オフセット補正データＷ２ｍ＝０からオフセット補正データＷ２ｎ＝２０に更新する。
【００７８】
なお、第１の補正データ更新部１１５は、５回（第１の数の更新）ごとに、５枚（第１の数）の第１の画像データの平均を用いて、オフセット補正データＷ１を更新してもよい。この場合、第１の補正データ更新部１１５は、ｎ＝４回目の更新までは、式（１）に従って、オフセット補正データＷ１ｍ＝０からオフセット補正データＷ１ｎ＝４に更新する。第１の補正データ更新部１１５は、ｎ＝５回目の更新では、５枚（第１の数）の最新の画像データＩ１ｎ＝１〜Ｉ１ｎ＝５（第１の画像データ）の平均を用いて、オフセット補正データＷ１ｎ＝４をオフセット補正データＷ１ｎ＝５に更新する。
【００７９】
同様に、第１の補正データ更新部１１５は、ｎ＝１０回目の更新では、５枚（第１の数）の最新の画像データＩ１ｎ＝６〜Ｉ１ｎ＝１０（第１の画像データ）の平均を用いて、オフセット補正データＷ１ｎ＝９をオフセット補正データＷ１ｎ＝１０に更新する。
【００８０】
また、第２の補正データ更新部１２５は、２０回（第２の数の更新）ごとに、２０枚（第２の数）の第２の画像データの平均を用いて、オフセット補正データＷ２を更新してもよい。この場合、第２の補正データ更新部１２５は、ｎ＝１９回目の更新までは、式（１）に従って、オフセット補正データＷ２ｍ＝０からオフセット補正データＷ２ｎ＝１９に更新する。第２の補正データ更新部１２５は、ｎ＝２０回目の更新では、２０枚（第２の数）の最新の画像データＩ２ｎ＝１〜Ｉ２ｎ＝２０（第２の画像データ）の平均を用いて、オフセット補正データＷ２ｎ＝１９をオフセット補正データＷ２ｎ＝２０に更新する。
【００８１】
同様に、第２の補正データ更新部１２５は、ｎ＝４０回目の更新では、２０枚（第２の数）の最新の画像データＩ２ｎ＝２１〜Ｉ２ｎ＝４０（第１の画像データ）の平均を用いて、オフセット補正データＷ２ｎ＝３９をオフセット補正データＷ２ｎ＝４０に更新する。
【００８２】
本実施形態によれば、最新の画像データがオフセット補正データとして適切ではない場合であっても、最新の画像データとオフセット補正データとを加重平均することで、最新の画像データの品質の影響を小さくすることができる。
【００８３】
また、加算平均の重み係数（ｋ−１）／ｋをオフセット補正データＷｍに乗算し、重み係数１／ｋを最新の画像データＩｎに乗算することにより、適切なオフセット補正データを生成することができる。
【００８４】
また、所定の更新回数ごとに最新の複数の画像データの平均を用いてオフセット補正データを更新することにより、適切なオフセット補正データでオフセット補正を行うことができ、ノイズを効率的に軽減することができる。
【００８５】
以上、本発明にかかる実施形態について説明したが、本発明はこれらに限定されるものではなく、請求項に記載された範囲内において変更・変形することが可能である。
【００８６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８７】
また、放射線撮影装置は、第１の補正データ更新部１１５による更新回数をカウントするカウンタを備えてもよい。カウンタは、所定の更新回数（第１の数）ごとに更新回数を０にリセットし、同じ更新回数（第１の数）を再度カウントしてもよい。また、カウンタは、放射線撮影装置が第１の撮影モードで被写体の放射線画像を撮影した後に更新回数を０にリセットし、同じ更新回数（第１の数）を再度カウントしてもよい。
【符号の説明】
【００８８】
１０１  放射線画像検出器
１０２  光電変換部
１０３  制御部
１０４  記憶部
１０５  補正データ更新部
１０６  処理部
１１０  減算器
１１３  第１の補正データ取得部
１１５  第１の補正データ更新部
１２３  第２の補正データ取得部
１２５  第２の補正データ更新部
１３０  補正データ取得部
２０１  放射線発生装置
【図１】
0006671109.tif 000002
【図２】
0006671109.tif 000003
【図３】
0006671109.tif 000004
【図４】
0006671109.tif 000005
【図５】
0006671109.tif 000006